(57)【要約】【課題】簡単な構造で、保管中に機能が劣化しない電池式の電気治療器を提供することである。【解決手段】間隔を設けた正負の電極板１、２間にスポンジ３に含浸させた電解液３ａを介在させて、その外周部を絶縁性の環状シール部材４でシールした電池を単体で用意し、使用時に正極電極板１を皮膚当て薬用布６の薬剤面に貼付する構成とすることにより、薬用布６の薬剤面に塗布された薬剤６ａの成分が、皮膚Ａに当接される負極電極板２への電気回路により、イオン化して皮膚Ａから吸収されるようにし、簡単な構造で、保管中に機能が劣化することなく、イオン浸透療法効果が得られるようにした。【選択図】図３
2005192848.tif 000002
【特許請求の範囲】
【請求項１】
イオン化する成分を含む治療用薬剤が含浸または塗布された皮膚当て薬用布の薬剤面に貼付される正極電極板と、皮膚に当接される負極電極板との板面間に間隔を設け、この間隔を設けた両電極板間に電解液を介在させ、この電解液を介在させた電池の両電極板間の外周部を絶縁性の環状シール部材でシールした電気治療器。
【請求項２】
前記電解液を繊維状または多孔状の媒体に含浸させて介在させた請求項１に記載の電気治療器。
【請求項３】
前記両電極板のうちの少なくとも正極電極板の中央部を外方へ膨出させ、前記電解液を介在させる板面間の間隔を広くした請求項１または２に記載の電気治療器。
【請求項４】
前記環状シール部材を前記両電極板の外周から張り出させ、少なくとも前記負極電極板の外周端面を覆うようにした請求項１乃至３のいずれかに記載の電気治療器。
【請求項５】
前記薬用布の薬剤面に貼付される正極電極板の表面に、耐食性を有する導電性被膜を形成した請求項１乃至４のいずれかに記載の電気治療器。
【請求項６】
前記正負の電極板の厚みを０．３ｍｍ以下とした請求項１乃至５のいずれかに記載の電気治療器。
【請求項７】
前記電池の電圧を１．０Ｖ以下とした請求項１乃至６のいずれかに記載の電気治療器。
【発明の詳細な説明】
【技術分野】
【０００１】
本発明は、イオン浸透療法のための電気治療器に関するものである。
【背景技術】
【０００２】
神経痛や肩こり等の治療法として、薬剤成分をイオン化して皮膚から体内に吸収させるイオン浸透療法が知られている。このイオン浸透療法を簡便に行える電気治療器として、本発明者らは、小型一次電池を用いたものを先に開発している（特許文献１参照。）。この電気治療器は、一次電池を形成する正負の電極を絶縁部材で絶縁して、皮膚に当接される電極面を除いて一次電池を覆う外包材の内側に形成した間隙に、電導性を付加した流動性の治療用薬剤を充填し、この薬剤を充填した間隙を、皮膚に当接される電極面に接着した剥離可能なカバーシートで密閉したものである。この電気治療器を使用するときは、カバーシートを剥がした電極面を皮膚に当接させ、一次電池の起電力により薬剤をイオン化して皮膚から吸収させる。
【０００３】
【特許文献１】特公平３−６９５４５号公報（第２−３頁、第１−３図）
【発明の開示】
【発明が解決しようとする課題】
【０００４】
上述した従来の電池式の電気治療器は、別途の電源を必要とせず、電池を覆う外包材を皮膚に当てるのみでイオン浸透療法の効果をあげることができるが、外包材の内側に形成した間隙に治療用薬剤を充填する必要があるので、構造が複雑で製造に手間がかかる問題がある。また、充填された薬剤が使用する前から一方の電極（正極）と接触する状態で保管されるので、保管中に電池の起電力が低下したり、正極に使用される金属片が薬剤で腐食されたりする問題もある。
【０００５】
そこで、本発明の課題は、簡単な構造で、保管中に機能が劣化しない電池式の電気治療器を提供することである。
【課題を解決するための手段】
【０００６】
上記の課題を解決するために、本発明は、イオン化する成分を含む治療用薬剤が含浸または塗布された皮膚当て薬用布の薬剤面に貼付される正極電極板と、皮膚に当接される負極電極板との板面間に間隔を設け、この間隔を設けた両電極板間に電解液を介在させ、この電解液を介在させた電池の両電極板間の外周部を絶縁性の環状シール部材でシールした構成を採用した。
【０００７】
本発明者らは、電池式の電気治療器について、従来の問題点を解決すべく研究を重ねた結果、湿布等の皮膚当て薬用布の治療用薬剤が含浸または塗布された薬剤面に、電池の正極電極板を貼付し、その負極電極板を皮膚に当接させるのみで、薬剤面の薬剤成分がイオン化して皮膚から吸収され、十分なイオン浸透療法効果が得られることを試用により確認した。そこで、間隔を設けた正負の電極板間に電解液を介在させ、その外周部を絶縁性の環状シール部材でシールした電池を単体で用意し、使用時に正極電極板をイオン化する成分を含む治療用薬剤が含浸または塗布された薬用布の薬剤面に貼付する構成とすることにより、簡単な構造で、保管中に機能が劣化しないようにした。
【０００８】
前記電解液を繊維状または多孔状の媒体に含浸させて介在させることにより、電解液を安定して正負の電極板間に介在させることができる。繊維状や多孔状の媒体としては、ガーゼ、綿、スポンジ等を用いることができる。
【０００９】
前記両電極板のうちの少なくとも正極電極板の中央部を外方へ膨出させ、前記電解液を介在させる板面間の間隔を広くすることにより、電池の寿命を長くすることができる。
【００１０】
前記環状シール部材を前記両電極板の外周から張り出させ、少なくとも前記負極の電極板の外周端面を覆うことにより、正極電極板から皮膚を通らずに負極電極板に導通する電気回路が形成されるのを防止して、イオン化した薬剤成分を効率よく皮膚から吸収させることができる。
【００１１】
前記薬用布の薬剤面に貼付される正極電極板の表面に、耐食性を有する導電性被膜を形成することにより、薬剤面の薬剤による正極電極板の腐食を防止することができる。
【００１２】
前記正負の電極板の厚みを０．３ｍｍ以下とすることにより、電気治療器を極薄い扁平なものとして皮膚から盛り上がらないようにし、使用中の違和感をなくすことができる。
【００１３】
前記電池の電圧は１．０Ｖ以下とするのが望ましい。電池の電圧が１．０Ｖを超えると、皮膚が火傷する恐れがあるからである。
【発明の効果】
【００１４】
本発明の電気治療器は、間隔を設けた正負の電極板間に電解液を介在させ、その外周部を絶縁性の環状シール部材でシールした電池を単体で用意し、使用時に正極電極板をイオン化する成分を含む治療用薬剤が含浸または塗布された薬用布の薬剤面に貼付する構成としたので、簡単な構造で安価に製造でき、保管中に機能が劣化する恐れもない。
【００１５】
前記電解液を繊維状または多孔状の媒体に含浸させて介在させることにより、電解液を安定して正負の電極板間に介在させることができる。
【００１６】
前記両電極板のうちの少なくとも正極電極板の中央部を外方へ膨出させ、電解液を介在させる板面間の間隔を広くすることにより、電池の寿命を長くすることができる。
【００１７】
前記環状シール部材を前記両電極板の外周から張り出させ、少なくとも負極電極板の外周端面を覆うことにより、正極電極板から皮膚を通らずに負極の電極板に導通する電気回路が形成されるのを防止して、イオン化した治療用薬剤を効率よく皮膚から吸収させることができる。
【００１８】
前記薬用布の薬剤面に貼付される正極電極板の表面に、耐食性を有する導電性被膜を形成することにより、薬剤面の薬剤による正極電極板の腐食を防止することができる。
【００１９】
前記正負の電極板の厚みを０．３ｍｍ以下とすることにより、電気治療器を極薄い扁平なものとして皮膚から盛り上がらないようにし、使用中の違和感をなくすことができる。
【発明を実施するための最良の形態】
【００２０】
以下、図面に基づき、本発明の実施形態を説明する。図１乃至図３は、第１の実施形態を示す。この電気治療器は、図１に示すように、銅板で形成された正極電極板１と、アルミニウム板で形成された負極電極板２との板面間に間隔を設けて、この間隔を設けた両電極板１、２間にスポンジ３に含浸させた電解液３ａを介在させ、その外周部を絶縁性の環状シール部材４でシールしたものであり、両電極板１、２間には０．４Ｖ程度の電圧が生じるようになっている。各電極板１、２は、それぞれ厚みが０．２ｍｍの円板とされ、正極電極板１の表面には、耐食性を有するアルミニウムで導電性被膜５が形成されている。
【００２１】
前記環状シール部材４は、両電極板１、２間の間隔を保持するリング部４ａと、両電極板１、２の外周から張り出す張り出し部４ｂとで形成されている。この張り出し部４ｂは、両電極板１、２の外周端面を覆い、後述する薬用布６の薬剤面に当てられる面が円弧面で形成され、皮膚に当てられる面が平面で形成されている。なお、張り出し部４ｂは、負極電極板２の外周端面のみを覆うようにしてもよい。
【００２２】
図２は、前記電気治療器を使用するために、イオン化する成分を含む治療用薬剤６ａを塗布した薬用布６の薬剤面に貼付した状態を示す。電気治療器は、皮膚に当てられる負極電極板２が露出するように、正極電極板１が薬用布６の薬剤面に貼付されている。なお、必要に応じて、複数の電気治療器を適宜の間隔で薬用布６に貼付してもよい。
【００２３】
図３は、前記電気治療器を貼付した薬用布６を皮膚Ａに当てた状態を示す。薬用布６は正極電極板１とその外周に張り出した環状シール部材４の上面に滑らかに沿わされて皮膚Ａを覆い、負極電極板２が皮膚Ａに当接されている。電気治療器で形成される電気回路は、図中に矢印で示すように、正極電極板１から薬用布６の薬剤面と皮膚Ａを経由して負極電極板２へ電気が流れるように形成され、薬用布６の薬剤面に塗布された薬剤６ａの成分がイオン化して、皮膚Ａから体内に吸収される。
【００２４】
図４は、第２の実施形態を示す。この電気治療器は、基本的な構成は第１の実施形態のものと同じであり、正極電極板１の中央部が外方へ膨出するように形成され、スポンジ３に含浸させた電解液３ａが介在する両電極板１、２間の間隔が広くなっている点のみが異なる。したがって、この実施形態では、電池の寿命を長くすることができる。なお、負極電極板２も中央部が外方へ膨出するように形成してもよい。
【００２５】
上述した各実施形態では、正負の電極板に銅板とアルミニウム板を用いたが、これらの電極板は一次電池を形成するものであればよく、他の素材のものを用いることもできる。また、正極電極板の表面に耐食性を有する導電性被膜を形成したが、本発明に係る電気治療器は、使用する間のみに正極電極板が薬用布の薬剤と接触するので、この被膜は試用期間や薬剤の種類によって省略することもできる。
【図面の簡単な説明】
【００２６】
【図１】第１の実施形態の電気治療器を示す縦断面図
【図２】図１の電気治療器を貼付した薬用布を示す平面図
【図３】図１の電気治療器を使用する状態を示す縦断面図
【図４】第２の実施形態の電気治療器を示す縦断面図
【符号の説明】
【００２７】
１  正極電極板
２  負極電極板
３  スポンジ
３ａ  電解液
４  環状シール部材
４ａ  リング部
４ｂ  張り出し部
５  導電性被膜
６  薬用布
６ａ  薬剤
【図１】
2005192848.tif 000003
【図２】
2005192848.tif 000004
【図３】
2005192848.tif 000005
【図４】
2005192848.tif 000006